(57)【特許請求の範囲】
【請求項１】
複数のケーブル挿通孔が形成されたベース部材と、キャップ状のカバー部材とからクロージャケースを構成し、該クロージャケース内に複数のケーブルの接続端部をそれぞれ接続した接続部と、該接続部からの心線余長部とを内装する心線収容体を備えたケーブル接続用クロージャにおいて、
前記ベース部材のケーブル挿通孔にゴム様弾性材からなるブッシュを嵌入して該ブッシュに前記ケーブルを貫通させ、前記ベース部材の外面に前記ケーブル挿通孔の周りで被係止部が形成された係止片を弾性屈曲可能に立設するとともに、該係止片の被係止部に係止する係止部が形成されたケーブルシールキャップを着脱自在に備えて前記ブッシュに弾接させて前記係止部を前記係止片の被係止部に係止させるとともに、
前記ベース部材の内面に前記カバー部材の開口端が嵌合可能な筒状嵌合部を形成し、該筒状嵌合部の径方向外側に被係止部が形成された複数の係止片を周方向に間隔を隔て弾性屈曲可能に立設するとともに、該係止片の被係止部に係止可能な複数の係止部を前記カバー部材に形成し、前記筒状嵌合部の内周に前記カバー部材と弾接するシール部材を設け、さらにベース部材に備えた支持部材を介して心線収容体を回動自在に重合連結配備し、各心線収容体に心線接続部収納部及び心線余長収納部を形成したことを特徴とするケーブル接続用クロージャ。
【請求項２】
前記ベース部材が、テンションメンバ把持具を備え、前記係止片の被係止部が係止穴であり、前記キャップ部材の係止部が前記穴に係止可能な係止爪、前記カバー部材の係止部が差込方向縁部および周方向縁部に傾斜面を有する係止爪である請求項１記載のケーブル接続用クロージャ。
【請求項３】
前期ケーブルシールキャップが、筒状体を呈し、その係止部は係止穴或いは取付穴であり、前期ケーブル挿通孔の周りの係止片の被係止部に着脱自在に嵌着され、ケーブルブッシュをケーブルに弾接させる請求項１または２記載のクロージャ。
【請求項４】
前記心線収容体が、心線余長巻取部と、単心接続部の収容部とを内装した偏平状トレイを連結ピンを介して前記ベース部材に取付けた支持体に着脱自在で、かつ回動自在に複数備えられている請求項１，２または３記載のクロージャ。
【請求項５】
前記心線収容体が、偏平状ケースであって、片面に心線余長収納部を特に他面に心線接続部の収容部を備えた請求項１，２，３または４記載のクロージャ。
【請求項６】
前記心線収容体が、ケーブルドロップ用収納用品であって、心線余長巻取部と単心接続部の収容部とを区画して集合配備した請求項１，２，３または４記載のクロージャ。
【発明の詳細な説明】
【０００１】
【発明の属する技術分野】
この発明は、フィンガーホール等に配置される地下用のケーブル接続用クロージャ、特に、テンションメンバを含む光ケーブルの接続や分岐配線に用いられ、光ケーブル等の心線接続部へのアクセスが容易に行えるケーブル接続用クロージャに関する。
【０００２】
【従来の技術】
一般に、光ケーブル等のケーブルの接続に際しては、クロージャを用いて心線外被の接続を行う。このようなクロージャ、特に、地下ケーブル接続用のクロージャは内部への浸水を確実に防止できる高度な密閉性が求められる反面、また、心線接続部に容易にアクセスできることが望まれる。このため、従来のクロージャにあっては、シール部材を介してビス等により接合される２つのケースハーフからケースを構成するケース構造、あるいは、ケースに心線接続部に臨む開口を形成し、この開口にシール部材を介して蓋をビス止めするケース構造を採用し、密閉性と接続作業性の両立を図っていた。
【０００３】
【発明が解決しようとする課題】
ところが、従来のクロージャにあっては、ケーブルの接続等に際して心線接続部にアクセスするにはネジ回し等の工具を用いてビスの取外しや取付を行わなければならず、その作業が煩雑であるし、さらに心線接続部にアクセスするにはテンションメンバの取外しや取付を行わなければならないので、その作業が煩雑であるという問題があり、しかも、光ファイバの分岐・引込接続には接続作業の失敗を見越して心線に余裕を持たせた余長処理が不可欠であって、任意の心線のハンドリングも厄介であって、識別性も困難であるばかりか、心線の交換や増設もむずかしく、心線接続の安全性や、作業性の上でも構造が複雑化してコスト高となるという問題があった。特に、ハンドホールやフィンガーホール内に配設されるクロージャにあっては、ホール内の空間が狭く作業時に工具がホール壁面と干渉しやすいため、上述した問題も顕著であった。
本発明は、これら従来の欠点を排除しようとするもので、各種接続工法に対応して容易に用いられ、一目でわかる配線ができて識別性良好であり、心線接続部へのアクセスが簡便に行え、配線作業性を大巾に向上し組立解体も容易でかつ、ケーブル収納の高密度化とケーブルシールの作業性もよく、組立解体作業も良好で高い密閉性が得られるクロージャを提供することを目的としたものである。
【０００４】
【課題を解決するための手段】
本発明は、複数のケーブル挿通孔が形成されたベース部材と、キャップ状のカバー部材とからクロージャケースを構成し、該クロージャケース内に複数のケーブルの接続端部をそれぞれ接続した接続部と、該接続部からの心線余長部とを内装する心線収容体を備えたケーブル接続用クロージャにおいて、
前記ベース部材のケーブル挿通孔にゴム様弾性材からなるブッシュを嵌入して該ブッシュに前記ケーブルを貫通させ、前記ベース部材の外面に前記ケーブル挿通孔の周りで被係止部が形成された係止片を弾性屈曲可能に立設するとともに、該係止片の被係止部に係止する係止部が形成されたケーブルシールキャップを着脱自在に備えて前記ブッシュに弾接させて前記係止部を前記係止片の被係止部に係止させるとともに、
前記ベース部材の内面に前記カバー部材の開口端が嵌合可能な筒状嵌合部を形成し、該筒状嵌合部の径方向外側に被係止部が形成された複数の係止片を周方向に間隔を隔て弾性屈曲可能に立設するとともに、該係止片の被係止部に係止可能な複数の係止部を前記カバー部材に形成し、前記筒状嵌合部の内周に前記カバー部材と弾接するシール部材を設け、さらにベース部材に備えた支持部材を介して心線収容体を回動自在に重合連結配備し、各心線収容体に心線接続部収納部及び心線余長収納部を形成したものである。
【０００５】
【発明の実施の形態】
この発明は、地下ケーブル接続用のクロージャに適し、特に、配置空間が狭いフィンガーホールやハンドホールなどに配設されるクロージャに適する。このクロージャは、カバー部材の延出部の取付孔にボルトや支持ピン等を挿通させ、フィンガーホール内等に取り付けられる。
この発明にかかる光ケーブル接続用クロージャでは、カバー部材を外して、ベース部材のケーブル導入部に備えたテンションメンバ把持部にケーブルのテンションメンバを止着し、引き出された心線は内配線材料に接続し分岐配線される心線は心線収容体及びケーブル導出部を経てケース本体外に出されて配索される。クロージャ内では、心線収容体によって接続部が収納され、しかも、心線接続の交換並びに増設が簡単にでき、心線余長の収容の余分な外力のかからないででき捻回、巻き癖を生じないで一目でわかる配線ができて識別性良好であると共に、任意の心線のハンドリングが容易で取扱いも簡便であり、各心線余長の収容保持も確実で、心線の捻り防止に寄与し交換及び増設もワンタッチ可能で接続、分岐の作業を安全かつ容易にすることができる。
【０００６】
【実施の例】
以下、この発明の実施例を図１乃至図８を参照して説明すると、複数のケーブル挿通孔１が形成されたベース部材２と、キャップ状のカバー部材３とからクロージャケースを構成し、該クロージャケース内に複数のケーブルの接続端部をそれぞれ接続した接続部と、該接続部からの心線余長部とを内装する心線収容体４を備えたケーブル接続用クロージャ１０であって、前記ベース部材２のケーブル挿通孔１にゴム様弾性材からなるブッシュ１１を嵌入して、該ブッシュ１１にケーブルを貫通させ、前記ベース部材２の外面に前記ケーブル挿通孔の周りで被係止部が形成された係止片１２を弾性屈曲可能に立設するとともに、該係止片１２の被係止部１３に係止する係止部１４が形成されたケーブルシールキャップ１５を着脱自在に備えて前記ブッシュ１１に弾接させて前記係止部１４を前記係止片１２の被係止部１３に係止させると共に、前記ベース部材２の内面に前記カバー部材３の開口端が嵌合可能な筒状嵌合部２０を形成し、該筒状嵌合部２０の径方向外側に被係止部２１が形成された複数の係止片２２を周方向に間隔を隔て弾性屈曲可能に立設するとともに、該係止片２２の被係止部２１に係止可能な複数の係止部３０を前記カバー部材３に形成し、前記筒状嵌合部２０の内周に前記カバー部材３と弾接するシール部材２４を設け、さらにベース部材３に備えた支持部材５を介して複数の心線収容体４を回動自在に重合連結配備し、各心線収容体４に心線接続部収納部４０及び心線余長収納部４１を形成してケーブル接続用クロージャ１０としてある。
【０００７】
前記ベース部材２には内側テンションメンバ把持具６，７及び外側テンションメンバ把持具８を備え、該ベース部材２に形成された前記係止片２２の被係止部２１が係止穴であり、また前記カバー部材３の係止部３０が差込方向縁部および周方向縁部に傾斜面を有する係止爪で、この被係止部２１と係止部３０とがそれぞれ互いにワンタッチで嵌装係止できるようにしてある。
また、前記ケーブルシールキャップ１５は、筒状体を呈し、その係止部１４は係止穴或いは取付穴であり、前記ケーブル挿通孔１の周りの係止片１２の前記被係止部１３に着脱自在にワンタッチで嵌着されてケーブルブッシュ１１をケーブルに弾接させるようになっているが、筒状体の外周に舌状の取付片を一対または複数突設し、各取付片に形成した取付孔にネジを挿入してネジ止め方式のキャップでブッシュ１１をケーブルに弾接することもできる。
【０００８】
前記心線収容体４としては、図２に示すように心線余長巻取部４２と、単心接続部の収容部４３とを内装した偏平状トレイ４４（図３）を着脱自在に設けた偏平ケースとしてブラケット４５及び連結ピン４６を介して前記ベース部材２に取付けた支持部材５に着脱自在で、かつ回動自在に複数備えられているが、この心線収容体４は片面に心線余長収納部４１を持ち、他面に単心線接続部の収容部４３を備えるように偏平状トレイ４４を配備するのがよい。
【０００９】
さらに心線収容体４には、舌片状の心線押え４７，４８及びガイド片４９を備えて心線接続部の収容部４３並びに心線余長収納部４１が形成されて、ケーブルをイン及びアウトに誘導できるようにするのがよい。この場合心線収容体４は複数重合連設し、各心線収容体４が一枚づつ或いは二枚以上連結ピン４６を中心としてブラケット４５上に回動させて垂直状態から水平状態に変位させて内部への配線取扱処理が簡便化できるようにしてある。
【００１０】
図１の例のクロージャ１０は、フィンガーホール内に収容され、分岐光ケーブルＩＰの複数（本実施の形態では８）の引き込み光ケーブルへの分岐接続に用いられる。図中明示しないが、分岐光ケーブルは８本の引き込み光ケーブルに対応した８本の支線光ケーブルを外被により被覆してなり、これら支線光ケーブルおよび引き込み光ケーブルがそれぞれ心線（光ファイバ）と２本のテンションメンバを被覆して構成される。
【００１１】
前記ベース部材２には、底外面の中央に複数のケーブル挿通孔１のある大径ボス部と周辺部に８つの小径ボス部を周方向に離間して形成される。この小径ボス部および大径ボスにはそれぞれキャップが嵌着されるが、スリット１６のあるシールキャップ１５（図５参照）が小径ボス部に、また大径ボス部にはドロップシールキャップ２５（図６参照）が嵌着する。これらボス部には外面側からブッシュが嵌入され、このブッシュがキャップ１５，２５により保持されて弾着される。このブッシュは、エラストマやゲル、あるいはゴム等から円錐台形状に成形され、大径ボス部に嵌入するものではヒョウタン状の８つの挿通孔が周方向に等間隔に離間して形成されて、各挿通孔支線光ケーブルが挿通され、変形した状態で大径ボス部内に圧入されてドロップシールキャップ２５により保持される。
【００１２】
同様に、小径ボス部には単一孔のあるブッシュ１１が嵌入され、このブッシュ１１がシールキャップ１５により保持されて弾着する。ブッシュ１１もゲル等から略円錐台形状に成形され、引き込み光ケーブルが挿通される断面略ヒョウタン状の挿通孔を有し、変形した状態でケーブルを小径導入孔内に圧入され、シールキャップ１５により保持される（図１参照）。
例えば、ケーブルブッシュ１１は、ケーブル挿入孔１を略ヒョウタン形状、若しくはマユダマ形状の単一孔或いは、複数孔の集合タイプとした筒状体で、その一端或いは、両端部が若干硬度の熱可塑性ゴム組成物（硬度３０〜１００Ｈｓ好ましくは４０〜８０Ｈｓ）からなる外層でその中央部が低硬度の熱可塑性ゴム組成物（硬度０〜３０Ｈｓ好ましくは２〜１０Ｈｓ）がらなる内層のサンドウィッチ構造の３層或いは２層積層成形品（図示せず）を用いるのがよく、前記シールキャップ１５，２５の嵌着で押し付け挾持することにより、弾接され確実なシール性を保つことができる。即ち、高低硬度の積層構造でシールキャップの締結力の低減がはかられると共に高硬度外層により低硬度内装のフロ止めになってシール性を大巾に向上できるようになっている。
【００１３】
また、ベース部材２内面には、テンションメンバ把持具６，７（図７及び図８）が、中央部とその外周辺に固着され、ケーブルの保持を確実にするように組立てられるが、このテンションメンバ把持具７には前記心線収容体４の支持部材５の取付部７１  を突設し、メンバ取付孔７２  及びベース部材２への取付孔７３  を有しており、またテンションメンバ把持具６にも取付部６１  、メンバ取付孔６２  及びベース部材２への取付孔６３  が備えられている。
なお、このテンションメンバ把持具６，７ではクロージャ１０内にケーブル挿通孔１から導入されるケーブルをテンションメンバ把持具６，７に添わせ、ケーブルから引き出されたテンションメンバをテンションメンバ把持具６，７にあるメンバ取付孔６２，７２に取付けるネジで取付部６１，７１に止着させて用いられる。
【００１４】
図９乃至図１１の具体例では、クロージャ１０のベース部材２に立設した支持部材５に配備した心線収容体４をドロップ用クロージャとしての心線収納用品（図１０及び図１１）を収納して用いるようにした例で、心線巻取部４２と、心線接続部収納部４３とを心線押え４７のあるガイドリブにより区画形成し、心線余長と接続部とを収納するケース体としてクロージャ１０内に装備したものである。なお、前記心線収容体４内の区画には図１０及び図１１に示すように、ケーブルドロップ用収納用品として心線余長巻取部４２と、単心接続部の収容部４３とを区画して集合配備し、該接続部の収容部４３をスリット４３１  のあるリブ４３２  と高低差のあるリブ４３３  とで構成するのもよい。この場合、この心線収容体４はヘッド部のあるノブ４１  で支持部材５に挿脱自在に連結されると共に回動可能として取扱処理しやすい形態としてある。
【００１５】
前記カバー部材３は、図１および図９に示すように、上端が略半球状に閉止、下端が開口した有底円筒状をなし、樹脂の射出成形等により成形される。このカバー部材３の外周面には、閉止端側に８つのリブ３１と、また、開口端側に８つの係止爪の係止部３０とが設けられ、必要に応じて位置決め用突条と、中間部に複数の滑り止め用の突条とが一体に形成される。前記リブ３１にはそれぞれ挿通孔が形成され、これら挿通孔に取付用のボルトや支持ピンが挿通する。係止部３０は、周方向に一定間隔で形成され、開口端側および周方向一側にそれぞれ傾斜面のある係止爪が形成され、ベース部材２の係止片２２の係止穴２１に嵌合係止する。
【００１６】
この実施の形態にあっては、分岐光ケーブルと引き込み光ケーブルを接続する場合、先ず、分岐光ケーブルをシールキャップ１５とブッシュ１１に挿通してベース部材２のケーブル挿入孔１に貫通させ、また同様に、集合引き込み光ケーブルをキャップ２５とブッシュに挿通してベース部材２の中央の大径ケーブル挿入孔に挿通し、これらケーブルの接続側端部をベース部材２の内面側に引き出す。そして、ブッシュを嵌入してシールキャップ１５，２５で係止止着し、また、各ケーブルのテンションメンバを止着する。
【００１７】
ここで、各シールキャップ１５，２５を弾性的に屈曲させて、各シールキャップ１５，２５の係止部１４（係止穴）に係止片１２の被係止部１３（係止爪）を嵌合係止させ、そのブッシュをケーブルに弾接して押圧する。このため、シールキャップ１５，２５の取付は工具を用いることなく行え、また、ブッシュが弾性変形を生じてケーブルに弾接し、高い封止性が得られる。この場合各キャップは押し込み方式に代えてネジ止め方式を採用することもできる。
【００１８】
また、予め組み付けられた支持部材５と心線収容体４との取付も工具を用いることなく簡単に、いわゆるワンタッチで行える。
次いで、各ケーブルの光ファイバを心線収容体４の配索穴から心線接続部収納部４０内に導いてコネクタにより接続し、コネクタをコネクタ収容部となる心線接続部収容部４３内に収容し、また、余長部分を心線余長巻取部４２に巻回保持する。
【００１９】
この後、カバー部材３をベース部材２に取り付けて心線収容体４をシール部材を介して被蓋する。すなわち、カバー部材３の開口端をベース部材２の嵌合筒部２０と嵌合させる。ここで、カバー部材３は、開口端外周の係止部３０（係止爪）が係止片２２を弾性的に屈曲させて係止片２２の被係止部２１（係止穴）に嵌合係止してベース部材２に取り付けられる。このため、カバー部材３の取付も工具を用いることなく簡単にワンタッチで行え、しかもカバー部材３の開口端内周面との間に全周にわたってシール部材２４が介在して弾着するため、水密性を保って内部への水の浸入等を確実に防止できる。
また、ケーブルの再接続等は、前述した手順と逆に、カバー部材３をベース部材２から取外し、さらに、必要に応じて心線収容体４を取り外して行いケーブルの再接続も容易に行える。
【００２０】
また、上述した実施の形態にあって、係止片の係止穴及び係止爪は相対関係にあるので、これらの係止関係を逆に形成することも可能である。
また、テンションメンバの止着も工具を用いることなく行えるように構成するが、ベース部材２に金属製の止着用部材を取り付け、この止着部材にねじ等を用いテンションメンバを止着し、高い止着強度を得ることも可能である。
【００２１】
【発明の効果】
本発明は、複数のケーブル挿通孔が形成されたベース部材と、キャップ状のカバー部材とからクロージャケースを構成し、該クロージャケース内に複数のケーブルの接続端部をそれぞれ接続した接続部と、該接続部からの心線余長部とを内装する心線収容体を備えたケーブル接続用クロージャにおいて、前記ベース部材のケーブル挿通孔にゴム様弾性材からなるブッシュを嵌入して該ブッシュに前記ケーブルを貫通させ、前記ベース部材の外面に前記ケーブル挿通孔の周りで被係止部が形成された係止片を弾性屈曲可能に立設するとともに、該係止片の被係止部に係止する係止部が形成されたケーブルシールキャップを着脱自在に備えて前記ブッシュに弾接させて前記係止部を前記係止片の被係止部に係止させるとともに、前記ベース部材の内面に前記カバー部材の開口端が嵌合可能な筒状嵌合部を形成し、該筒状嵌合部の径方向外側に被係止部が形成された複数の係止片を周方向に間隔を隔て弾性屈曲可能に起設するとともに、該係止片の被係止部に係止可能な複数の係止部を前記カバー部材に形成し、前記筒状嵌合部の内周に前記カバー部材と弾接するシール部材を設け、さらにベース部材に備えた支持部材を介して心線収容体を回動自在に重合連結配備し、各心線収容体に心線接続部収納部及び心線余長収納部を形成したベース部材へのカバー部材の着脱が工具を用いることなく行え、かつ、高い密閉性が維持できるため、ケーブルの接続作業が容易に行え、また、内部への水の浸入等も確実に防止できるほか、ケーブルの接続等に際してのケース内部へのアクセスが工具を用いることなく行え、また、テンションメンバの止着も最小工具で行える。このためケーブルの接続作業を容易かつ短時間で行え、ケーブルの設置費用の低減等が図れ、しかもケーブル取付が１個のベース部材のみによる作業のため作業向上が得られると共に、スリーブシール部分に粘着シール材・コンパウンドを使用しないので組立・解体作業が容易であり、ハンドホールやフィンガーホール内でのクロージャの設置自由度も大きく設置作業が容易であり、ケーブルに接続される光ファイバー心線を単心接続部を介して単心線に分岐され、各単心線の他端の心線接続の交換並びに増設が簡単にでき、心線余長の収容も余分な外力のかからないででき捻回、巻き癖を生じないで一目でわかる配線ができて識別性良好で、しかも任意の心線のハンドリングが可能で取り扱い容易であり、安全な接続処理作業が行えて、作業性を大巾に向上すると共に、単心接続部と心線余長とが完全に分離状態で納められるし、心線接続部のみ収容部に固定すればよいので、余分な収納部材を不要とし、低コストで生産できるなど実用上の効果がある。
【図面の簡単な説明】
【図１】  本発明の一の実施の形態に係るケーブル接続用クロージャを示し、（ａ）はその一部分離状態の縦断面図、（ｂ）は底面図、（ｃ）はベース部材のみの内部を示す平面図である。
【図２】  図１の例で用いられた心線収容体を示し、（ａ）は展開側面図、（ｂ）はその平面図、（ｃ）は分離状態の正面図である。
【図３】  図２の例で用いられるトレイの平面図である。
【図４】  図１の例のベース部材を示し、（ａ）はその平面図、（ｂ）はＡ−Ａ線における縦断面図、（ｃ）は底面図、（ｄ）はＢ−Ｂ線における縦断面図である。
【図５】  本発明で用いられるシールキャップを示し、（ａ）はその平面図、（ｂ）は正面図、（ｃ）は切断正面図、（ｄ）は側面図である。
【図６】  本発明で用いられる集合ドロップシールキャップを示し、（ａ）はその平面図、（ｂ）は底面図、（ｃ）は側面図、（ｄ）は切断正面図である。
【図７】  本発明で用いられるケーブル把持金具を示し、（ａ）はその平面図、（ｂ）は正面図、（ｃ）はＥ−Ｅ線における縦断面図、（ｄ）は一部切断側面図である。
【図８】  本発明で用いられるもう一つのケーブル把持金具を示し、（ａ）はその平面図、（ｂ）は正面図、（ｃ）はＦ−Ｆ線における縦断面図、（ｄ）はＧ−Ｇ線における縦断面図である。
【図９】  本発明の他の実施例で、一部の分離状態を示す縦断面図である。
【図１０】  図９の例の心線収容体を示し、（ａ）はその平面図、（ｂ）はＣ−Ｃ線における縦断面図、（ｃ）は側面図である。
【図１１】  図１０の例の一部の拡大詳細図で、（ａ）は平面図、（ｂ）は正面図、（ｃ）Ｄ−Ｄ線における縦断面図である。
【符号の説明】
１          ケーブル挿通孔
２          ベース部材
３          カバー部材
４          心線収容体
５          支持部材
６，７，８  テンションメンバ把持具
１０        クロージャ
１１        ブッシュ
１２        係止片
１３        被係止部
１４        係止部
１５        ケーブルシールキャップ
１６        スリット
２０        筒状嵌合部
２１        被係止部
２２        係止片
２４        シール部材
２５        シールキャップ
３０        係止部
４０        心線接続部収納部
４１        心線余長収納部
４２        心線余長巻取部
４３        収容部
４４        偏平状トレイ
４５        ブラケット
４６        連結ピン
【図１】
0003746857.tif 000002
【図２】
0003746857.tif 000003
【図３】
0003746857.tif 000004
【図４】
0003746857.tif 000005
【図５】
0003746857.tif 000006
【図６】
0003746857.tif 000007
【図７】
0003746857.tif 000008
【図８】
0003746857.tif 000009
【図９】
0003746857.tif 000010
【図１０】
0003746857.tif 000011
【図１１】
0003746857.tif 000012